【手続補正書】
【提出日】平成19年5月2日(2007.5.2)
【手続補正１】
【補正対象書類名】特許請求の範囲
【補正対象項目名】全文
【補正方法】変更
【補正の内容】
【特許請求の範囲】
【請求項１】
一番目のステーションの一部として構成された送信システムであって、一番目のステーションは、データ信号上のカップリングの影響を低減するため、送信機により一番目のステーションから二番目のステーションに送信される前にデータ信号を修正するように構成され、マルチチャンネル通信システムの一部として構成された、それぞれがチャンネルと関連している二つ以上の送信機を有しており、当該送信システムにおける少なくとも一つの送信機は、
データ信号を受信するように構成された入力を備え、当該データ信号は送信機により処理された後、一番目のチャンネル上に送信され、さらに、
一つ以上の発信消去信号を生成するように構成された一つ以上のフィルター備え、当該一つ以上の発信消去信号は、当該送信システムにおける一つ以上の別の送信機に供給され、データ信号の送信に先立ち、一番目のチャンネルから一つ以上の別のチャンネルへのFEXTカップリングを消去し、さらに、
当該送信システムにおける一つ以上の別の送信機からの一つ以上の着信消去信号を、信号と組み合わせるように構成された装置を備え、当該の一つ以上の着信消去信号はマルチチャンネル通信システムにおける一つ以上の別の送信機から到達し、データ信号の送信に先立って、一つ以上の別のチャンネルから一番目のチャンネルへのFEXTカップリングを消去する、送信システム。
【請求項２】
当該装置に、データ信号から一つ以上の着信消去信号を減算するように構成された減算器が含まれる、請求項１に記載の送信システム。
【請求項３】
当該の一つ以上のフィルターに、デジタルプレコードFEXTフィルターが含まれる、請求項１に記載の送信システム。
【請求項４】
デジタルプレコードFEXTフィルターが送信システムにおける別のそれぞれの送信機と関連しており、また各デジタルプレコードFEXTフィルターが着信消去信号を生成するように構成されている、請求項３に記載の送信システム。
【請求項５】
当該フィルターに、FEXTカップリングを消去するように構成されたプレコードフィルタ
ーが含まれる、請求項１に記載の送信システム。
【請求項６】
一つ以上の発信消去信号を生成するように構成された一つ以上のフィルターに加え、送信プレコードフィルターがさらに含まれる、請求項１に記載の送信システム
【請求項７】
送信に先立ち、二つ以上のチャンネルを通って二つ以上の信号を送信する間に起こるFEXTカップリングを消去するため、マルチ送信機・マルチチャンネル送信システムにおける二つ以上の信号を修正するように構成された、カップリングプレコードフィルターシステムであって、
一番目の信号を受信するように構成された一番目の入力と、
二番目の信号を受信するように構成された二番目の入力と、
一番目の消去信号を生成するために一番目の信号を処理するように構成された一番目のフィルターとを備え、当該一番目の消去信号が送信中に一番目の信号から二番目の信号に結合するカップリングの少なくとも一部を消去し、さらに、
二番目の消去信号を生成するために二番目の信号を処理するように構成された二番目のフィルターを備え、当該二番目の消去信号が送信中に二番目の信号から一番目の信号に結合するカップリングの少なくとも一部を消去し、さらに、
一番目の信号の送信に先立ち、二番目の消去信号と一番目の信号とを組み合わせるように構成された一番目の装置と、
二番目の信号の送信に先立ち、一番目の消去信号と二番目の信号とを組み合わせるように構成された二番目の装置とを備える、カップリングプレコードフィルターシステム。
【請求項８】
当該一番目のフィルターと二番目のフィルターが非因果性フィルターとして構成されている、請求項７に記載のカップリングプレコードフィルターシステム。
【請求項９】
当該一番目のフィルターが一番目の送信機に、また二番目のフィルターが二番目の送信機に位置し、一番目の送信機および二番目の送信機のそれぞれがさらに送信プレコードフィルターを含む、請求項７に記載のカップリングプレコードフィルターシステム。
【請求項１０】
当該一番目の装置と二番目の装置が減算器を含む、請求項７に記載のカップリングプレコードフィルターシステム。
【請求項１１】
当該カップリングプレコードフィルターシステムが４チャンネル環境で動作し、それによりさらに三番目のフィルターと四番目のフィルターが含まれるように構成されている、請求項７に記載のカップリングプレコードフィルターシステム。
【請求項１２】
二つ以上の送信機を有するマルチチャンネル通信システムにおいて、一番目のチャンネルに送信された一番目の信号から、二番目のチャンネルに送信された二番目の信号へのカップリングのFEXT消去のために使用される方法であって、
一番目の送信機で一番目の信号を受信するステップと、
一番目の処理信号を生成するために一番目の信号上で一番目の処理を行なうステップと、
一番目の処理信号を一つ以上の一番目の送信機消去フィルターに送るステップと、
消去信号を生成するために、一つ以上の一番目の送信機消去フィルターを備えた一番目の処理信号上で二番目の処理を行なうステップと、
消去信号を二番目の送信機に送るステップと、
送信中の一番目の信号から二番目の信号へのカップリングの影響を低減するため、送信に先立ち、消去信号を二番目の送信機によって処理された二番目の信号と組み合わせるステップとを含む、方法。
【請求項１３】
二番目の処理の遂行に、プレコードFEXTフィルターを使用したプレコードフィルタリングが含まれる、請求項１２に記載の方法。
【請求項１４】
当該プレコードFEXTフィルターが非因果性フィルターとして構成されている、請求項１２に記載の方法。
【請求項１５】
当該マルチチャンネル通信システムに、それぞれがチャンネルに関連している四つの送信機を有する、少なくとも一つのステーションが含まれる、請求項１２に記載の方法。
【請求項１６】
送信中の、二番目の信号から一番目の処理信号へのカップリングの影響を低減するため、二番目の消去信号を一番目の送信機で受信し、また二番目の消去信号と一番目の処理信号とを組み合わせるステップをさらに含む、請求項１２に記載の方法。
【請求項１７】
当該組み合わせに、二番目の信号から消去信号を減算するステップが含まれる、請求項１２に記載の方法。
【請求項１８】
４チャンネル通信システムにおけるFEXTの消去方法であって、このとき送信機が一番目のチャンネル、二番目のチャンネル、三番目のチャンネル、および四番目のチャンネルに関連しており、
一番目の信号、二番目の信号、三番目の信号、および四番目の信号をそれぞれ一番目の送信機、二番目の送信機、三番目の送信機、および四番目の送信機で受信するステップと、
二番目の送信機消去信号、三番目の送信機消去信号、および四番目の送信機消去信号を生成するために一番目の信号を処理するステップと、
二番目の送信機消去信号、三番目の送信機消去信号、および四番目の送信機消去信号をそれぞれ二番目の送信機、三番目の送信機、および四番目の送信機に送るステップと、
二番目の送信機消去信号、三番目の送信機消去信号、および四番目の送信機消去信号を、それぞれ二番目の信号、三番目の信号、および四番目の信号と組み合わせるステップとを含み、当該組み合わせにより、一番目のチャンネルにおける信号の送信の最中に起こる、二番目のチャンネル、三番目のチャンネル、および四番目のチャンネルへのFEXTカップリングの影響が消去される、方法。
【請求項１９】
当該通信システムがイーサネット（登録商標）基準に基づいて動作する、請求項１８に記載の方法。
【請求項２０】
一番目の信号の処理は、
一番目の信号を一番目のプレコードFEXTフィルター、二番目のプレコードFEXTフィルター、および三番目のプレコードFEXTフィルターに送るステップと、
二番目の送信機消去信号、三番目の送信機消去信号、および四番目の送信機消去信号を生成するため、それぞれのプレコードFEXTフィルターにおいて一番目の信号を処理するステップとを含む、請求項１８に記載の方法。
【請求項２１】
一番目の送信機で、４チャンネル通信システムにおける二番目、三番目、および四番目の送信機のそれぞれからの一つ以上の着信消去信号を受信するステップと、一番目の信号上のFEXTカップリングの影響を消去するため、それぞれの別の送信機からの一つ以上の着信消去信号と一番目の信号を組み合わせるステップとをさらに含む、請求項１８に記載の方法。
【請求項２２】
一番目の信号上で送信プレコードフィルタリングを行なうステップをさらに含む、請求項１８に記載の方法。
【請求項２３】
当該処理が一つ以上のデジタルフィルターにより行なわれる、請求項１８に記載の方法。
【請求項２４】
一つ以上のデジタルフィルターの転送関数が、ELFEXTを消去するために選択される、請求項２３に記載の方法。
【請求項２５】
マルチチャンネル通信システムにおいて使用されるFEXT消去システムであって、
一番目のチャンネルに関連した一番目の送信機を備え、当該送信機は、
一番目のチャンネルの信号を生成するためにデータを処理する手段と、
一つ以上の発信消去信号を生成するために一番目のチャンネルの信号をフィルタリングする手段と、
一つ以上の発信消去信号をマルチチャンネル通信システムにおける一つ以上の別の送信機に供給する手段とを含み、一つ以上の発信消去信号が、一番目のチャンネルの信号を一つ以上の他のチャンネルの信号に送信されている最中に結合する、FEXTカップリングを消去し、さらに、
マルチチャンネル通信システムにおける一つ以上の別の送信機から、一つ以上の着信消去信号を受信する手段と、
それにより送信中に一番目のチャンネルに結合するFEXTカップリングを消去するため、一つ以上の着信消去信号を一番目のチャンネルの信号と組み合わせる手段とを含む、システム。
【請求項２６】
組み合わせの手段に、減算器および加算回路からなる装置のグループから選択された装置が含まれる、請求項２５に記載のシステム。
【請求項２７】
符号間干渉の説明をするため信号を処理するように構成されている送信プレコードフィルターがさらに含まれる、請求項２５に記載のシステム。
【請求項２８】
フィルタリングの手段に、一つ以上のデジタルプレコードFEXTフィルターが含まれている、請求項２５に記載のシステム。